(57)【要約】【課題】デジタルカメラ付き携帯電話のような広く普及している機器・システムを利用することにより、利用者の所望の映像情報がない場合に、情報提供者に通知して該当する情報の提供を依頼する。【解決手段】通信ネットワーク１０５を介してデジタルカメラ付き携帯電話１００で撮影した映像情報を映像情報サーバ１０３の記憶装置１０４に蓄積し、前記記憶装置に蓄積された映像情報を参照するとき前記通信ネットワークを介して携帯電話１０１を含む利用者端末から前記映像情報サーバへ依頼し、前記利用者端末は所望の映像情報を取得し、前記映像情報サーバは前記記憶装置に前記所望の映像情報が存在しない場合にはデジタルカメラ付き携帯電話を所持する映像情報提供者に該当の映像情報の提供を依頼する。【選択図】      図１
2004328341.tif 000002
【特許請求の範囲】
【請求項１】
通信ネットワークを介して音声を含む映像情報を送出する映像情報提供手段と、前記通信ネットワークを介して所望の映像情報を取込む映像情報利用手段と、前記通信ネットワークを介して前記映像情報提供手段が送出する映像情報を取得して記憶装置に格納し，前記映像情報利用手段の要求に基いて前記記憶装置を検索し所望の映像情報が存在する場合にはそれを前記映像情報利用手段へ送信し，所望の映像情報が存在しない場合にはその映像情報を所持し得る可能性がある映像情報提供手段に通知して前記映像情報の提供を依頼する映像情報活用手段と、前記映像情報提供手段，前記映像情報利用手段，および前記映像情報活用手段を相互に接続する通信ネットワークとを有することを特徴とする映像情報活用システム。
【請求項２】
請求項１記載の映像情報活用システムにおいて、前記映像情報提供手段は、任意の被写体を撮影した映像情報を生成し，それを前記映像情報活用手段へ前記通信ネットワークを介して送信するデジタルカメラ付き携帯電話であることを特徴とする映像情報活用システム。
【請求項３】
請求項１，または２記載の映像情報活用システムにおいて、前記映像情報活用手段は、前記映像情報提供手段から受信した映像情報を格納する記憶装置を備え，前記映像情報利用手段の要求に該当する映像情報を前記記憶装置から抽出してそれを要求元へ送信し，前記要求に該当する映像情報が前記記憶装置に存在しない場合には前記要求に該当する映像情報の提供を映像情報提供手段へ依頼する映像情報サーバであることを特徴とする映像情報活用システム。
【請求項４】
請求項１，２，または３記載の映像情報活用システムにおいて、前記映像情報利用手段は、前記通信ネットワークを介して前記映像情報活用手段へ所望の映像情報を要求し，その映像情報が前記映像情報活用手段に存在する場合にはそれを受信する機能を備えた携帯電話，およびパソコンであることを特徴とする映像情報活用システム。
【請求項５】
通信ネットワークを介してデジタルカメラ付き携帯電話で撮影した映像情報を映像情報サーバの記憶装置に蓄積し、前記記憶装置に蓄積された映像情報を参照するとき前記通信ネットワークを介して携帯電話を含む利用者端末から前記映像情報サーバへ依頼し、前記利用者端末は所望の映像情報を取得し、前記映像情報サーバは前記記憶装置に前記所望の映像情報が存在しない場合にはデジタルカメラ付き携帯電話を所持する映像情報提供者に該当の映像情報の提供を依頼することを特徴とする映像情報活用方法。
【請求項６】
請求項５記載の映像情報活用方法において、映像情報利用者が要求した映像情報が前記記憶装置に存在しない場合、前記映像情報サーバは、前記通信ネットワークを介して前記映像情報利用者に該当の映像情報が存在しない旨を通知し、さらにその映像情報の入手を待つか否かを問い合わせ、前記映像情報利用者から前記映像情報の入手を待つ旨の応答があったとき、デジタルカメラ付き携帯電話を所持する映像情報提供者に該当の映像情報の提供を依頼することを特徴とする映像情報活用方法。
【請求項７】
デジタルカメラ付き携帯電話で撮影した映像情報を収集し、それを所望の利用者端末へ配信する映像情報サーバを運用させる映像情報活用プログラムであって、通信ネットワークを介してデジタルカメラ付き携帯電話で撮影した映像情報を映像情報サーバの記憶装置に蓄積し、前記記憶装置に蓄積された映像情報を参照するとき前記通信ネットワークを介して携帯電話を含む利用者端末から依頼を受信し、前記利用者端末が所望する映像情報を送信し、前記記憶装置に前記所望する映像情報が存在しない場合にはデジタルカメラ付き携帯電話を所持する映像情報提供者に該当の映像情報の提供を依頼することを特徴とする映像情報活用プログラム。
【請求項８】
請求項７記載の映像情報活用プログラムにおいて、映像情報利用者が要求した映像情報が前記記憶装置に存在しない場合、前記映像情報サーバは、前記通信ネットワークを介して前記映像情報利用者に該当の映像情報が存在しない旨を通知し、さらにその映像情報の入手を待つか否かを問い合わせ、前記映像情報利用者から前記映像情報の入手を待つ旨の応答があったとき、デジタルカメラ付き携帯電話を所持する映像情報提供者に該当の映像情報の提供を依頼することを特徴とする映像情報活用プログラム。
【発明の詳細な説明】
【０００１】
【発明の属する技術分野】
本発明は映像情報活用システム，方法，およびプログラムに関し、特にデジタルカメラ付き携帯電話により撮影した映像情報を蓄積し、それを不特定多数の利用者が参照し得るようにする映像情報活用システム，方法，およびプログラムに関する。
【０００２】
【従来の技術】
携帯電話は広く一般に行き渡り、誰もが携帯電話を使用する世の中となった。また携帯電話の高機能化が進みｉモード等のインターネット接続も当たり前になっている。さらにはデジタルカメラ付きの携帯電話も発売され携帯電話間の映像・動画のやりとりも可能となってきており、今後ますます普及すると思われる。
【０００３】
しかし現在の携帯電話における映像・動画情報のやりとりは一対一で行われており、また相手は家族，知人等の限られた範囲の人物であり、テレビ電話の域を出ていない。
【０００４】
上記のような従来の電話機能を主体とした使用方法に対し、映像情報を積極的に共同利用しようとするシステムが提案されている（たとえば、特許文献１参照。）。
【０００５】
この例では、たとえば主要な場所の道路交通に関する映像情報をリアルタイムに取得し、これをユーザ端末に配信するシステムが開示されている。
【０００６】
【特許文献１】
特開２００２−４８５５４号公報（第３〜４頁，図１）
【０００７】
【発明が解決しようとする課題】
上記のように、従来の映像情報の利用方法では、あらかじめ定められた仕様に基づく映像情報が利用者に提供されている。この場合、利用者の要望に臨機に応答して映像情報を変更したり、新たな映像情報を取得して提供することは考慮されていない。
【０００８】
また、従来、映像情報は目的志向で収集・蓄積されることが多く、不特定の利用者が気軽にアクセスしても十分にフィットした映像情報が提供されるとは限らない。
【０００９】
本発明の目的は、デジタルカメラ付き携帯電話のような広く普及している機器・システムを利用することにより、映像情報利用者の所望の映像情報がない場合に、映像情報提供者に通知して該当のものの提供を依頼する映像情報活用システム，方法，およびプログラムを提供することにある。
【００１０】
【課題を解決するための手段】
本発明の映像情報活用システムは、通信ネットワークを介して音声を含む映像情報を送出する映像情報提供手段と、前記通信ネットワークを介して所望の映像情報を取込む映像情報利用手段と、前記通信ネットワークを介して前記映像情報提供手段が送出する映像情報を取得して記憶装置に格納し，前記映像情報利用手段の要求に基いて前記記憶装置を検索し所望の映像情報が存在する場合にはそれを前記映像情報利用手段へ送信し，所望の映像情報が存在しない場合にはその映像情報を所持し得る可能性がある映像情報提供手段に通知して前記映像情報の提供を依頼する映像情報活用手段と、前記映像情報提供手段，前記映像情報利用手段，および前記映像情報活用手段を相互に接続する通信ネットワークとを有することを特徴とする。
【００１１】
さらに、本発明の映像情報活用システムにおいて、前記映像情報提供手段は、任意の被写体を撮影した映像情報を生成し，それを前記映像情報活用手段へ前記通信ネットワークを介して送信するデジタルカメラ付き携帯電話であることを特徴とする。
【００１２】
さらに、本発明の映像情報活用システムにおいて、前記映像情報活用手段は、前記映像情報提供手段から受信した映像情報を格納する記憶装置を備え，前記映像情報利用手段の要求に該当する映像情報を前記記憶装置から抽出してそれを要求元へ送信し，前記要求に該当する映像情報が前記記憶装置に存在しない場合には前記要求に該当する映像情報の提供を映像情報提供手段へ依頼する映像情報サーバであることを特徴とする。
【００１３】
さらに、本発明の映像情報活用システムにおいて、前記映像情報利用手段は、前記通信ネットワークを介して前記映像情報活用手段へ所望の映像情報を要求し，その映像情報が前記映像情報活用手段に存在する場合にはそれを受信する機能を備えた携帯電話，およびパソコンであることを特徴とする。
【００１４】
また、本発明の映像情報活用方法は、通信ネットワークを介してデジタルカメラ付き携帯電話で撮影した映像情報を映像情報サーバの記憶装置に蓄積し、前記記憶装置に蓄積された映像情報を参照するとき前記通信ネットワークを介して携帯電話を含む利用者端末から前記映像情報サーバへ依頼し、前記利用者端末は所望の映像情報を取得し、前記映像情報サーバは前記記憶装置に前記所望の映像情報が存在しない場合にはデジタルカメラ付き携帯電話を所持する映像情報提供者に該当の映像情報の提供を依頼することを特徴とする。
【００１５】
さらに、本発明の映像情報活用方法において、映像情報利用者が要求した映像情報が前記記憶装置に存在しない場合、前記映像情報サーバは、前記通信ネットワークを介して前記映像情報利用者に該当の映像情報が存在しない旨を通知し、さらにその映像情報の入手を待つか否かを問い合わせ、前記映像情報利用者から前記映像情報の入手を待つ旨の応答があったとき、デジタルカメラ付き携帯電話を所持する映像情報提供者に該当の映像情報の提供を依頼することを特徴とする。
【００１６】
また、本発明の映像情報活用プログラムは、デジタルカメラ付き携帯電話で撮影した映像情報を収集し、それを所望の利用者端末へ配信する映像情報サーバを運用させる映像情報活用プログラムであって、通信ネットワークを介してデジタルカメラ付き携帯電話で撮影した映像情報を映像情報サーバの記憶装置に蓄積し、前記記憶装置に蓄積された映像情報を参照するとき前記通信ネットワークを介して携帯電話を含む利用者端末から依頼を受信し、前記利用者端末が所望する映像情報を送信し、前記記憶装置に前記所望する映像情報が存在しない場合にはデジタルカメラ付き携帯電話を所持する映像情報提供者に該当の映像情報の提供を依頼することを特徴とする。
【００１７】
さらに、本発明の映像情報活用プログラムにおいて、映像情報利用者が要求した映像情報が前記記憶装置に存在しない場合、前記映像情報サーバは、前記通信ネットワークを介して前記映像情報利用者に該当の映像情報が存在しない旨を通知し、さらにその映像情報の入手を待つか否かを問い合わせ、前記映像情報利用者から前記映像情報の入手を待つ旨の応答があったとき、デジタルカメラ付き携帯電話を所持する映像情報提供者に該当の映像情報の提供を依頼することを特徴とする。
【００１８】
すなわち、本発明によれば、デジタルカメラ付き携帯電話を利用し映像および動画（音声含む）を取り込み情報内容別にセンターサーバに蓄積し、その映像情報を不特定多数の人が活用することができる。
【００１９】
また、現在の映像情報はテレビ，インターネット等の映像情報に限られ、送り手の思惟に左右される。本発明が実現されると誰もが映像・動画情報の提供者となりうる。また一般の人が情報提供者になることで莫大な情報が利用可能となり、その情報を利用者は任意に引き出し閲覧することができる。
【００２０】
【発明の実施の形態】
以下、本発明について図面を参照しながら説明する。
【００２１】
図１は本発明の実施の一形態を示す説明図である。同図において、本発明による映像情報活用システムは、デジタルカメラ付き携帯電話１００、通常の携帯電話１０１、家庭，職場等にあるパソコン１０２、このシステムを管理運用するための映像情報サーバ１０３、映像および動画情報を蓄積するための記憶装置１０４、およびこれらを相互に接続するインターネット等の通信ネットワーク１０５から構成されている。
【００２２】
デジタルカメラ付き携帯電話１００は映像および動画情報を取り込むための装置である。情報提供者の生活地域におけるイベント、職場への通勤途上の風景、旅行先での風景等の映像および動画情報を取り込める装置となり、また必要に応じ音声情報も付加可能である。
【００２３】
サーバ（映像情報サーバ。以下、サーバということがある。）１０３はこのシステムを運営管理する装置であり、デジタルカメラ付き携帯電話１００より送られてくる映像および動画情報を記憶装置１０４に情報の内容ごとに蓄積保存する。
【００２４】
携帯電話１０１は映像，動画等を取り込め、インターネット接続可能な携帯電話である。パソコン１０２は職場，家庭等にあるインターネットに接続されている装置とする。
【００２５】
利用者は携帯電話１０１、またはパソコン１０２を使用し、必要な情報をインターネット等の通信ネットワーク１０５を介して引き出すことができる。
【００２６】
インターネット等の通信ネットワーク１０５とはデジタルカメラ付き携帯電話１００および、携帯電話１０１上ではｉモード等を用い、パソコン１０２およびサーバ１０３は専用回線や、ＩＳＤＮ等の回線にてインターネット等を使用出来る環境とする。
【００２７】
利用者における必要な情報とは、例えば電車事故が起きた実際の現場がどういう状況か、これから行く旅先の天気は今どうなっているのか、高速道路での渋滞状況や、事故、イベント（祭り、花火、コンサート）等、興味があるものを言う。また情報提供者が増えるほどに利用者が必要とする情報が増えてくる。
【００２８】
図１において、映像情報提供者は、デジタルカメラ付き携帯電話１００使用し情報提供者の生活地域や旅行先等の映像および動画（音声メッセージを含めて）情報を、インターネット等を通じサーバ１０３を用い記憶装置１０４に、情報別に記録蓄積する。
【００２９】
不特定の個人は、自分の知りたい映像および動画情報（例えば各地域の天候、イベント、祭りの風景、高速道路の渋滞、通勤風景等）を、携帯電話１０１および、パソコン１０２等を利用しインターネット等を通じサーバ１０３より提供してもらう。
【００３０】
映像情報提供者は、サービス開始当初には契約を結んだ人から、それぞれの地域のイベント等の映像および動画情報を安定して供給してもらう。またこのサービスが世間一般に広まるに従い、契約者以外の一般個人からもデジタルカメラ付き携帯電話１００を通じ映像および動画情報を提供してもらい情報量の拡充をはかる。
【００３１】
映像および動画情報には情報提供者の音声によるコメント等を付加し、デジタルカメラ付き携帯電話１００よりサーバ１０３に蓄積するが、その際、地域場所時間等の情報により体系的に蓄積保存する。
【００３２】
利用者は地域場所時間等で利用範囲を絞り込み、映像および動画情報の提供を受ける事となる。
【００３３】
図２は映像情報を蓄積する動作を示す流れ図である。
【００３４】
まず、情報提供者はデジタルカメラ付き携帯電話１００にてｉモード等の通信機能を利用しサーバ１０３にアクセスする（ステップＡ１）。
【００３５】
サーバ１０３は、これから情報提供者が取り込む映像・動画情報に関する場所や状況などの項目（以降、キーワードと総称する）の入力を要求する。その際、サーバ１０３は、キーワード入力の為のメニューをデジタルカメラ付き携帯電話１００に表示する。
【００３６】
キーワードは大項目として観光地、交通機関、地名等をデジタルカメラ付き携帯電話１００に表示、観光地を選択すれば次に中項目として都道府県の選択、次に観光地の選択と場所を絞り込めるよう入力を要求する。最終的には○○観光地、○○遊園地、○○球場、○○会場等まで選択、絞り込めるようにする。
【００３７】
交通機関、地名等に関しても同様に行い、交通機関だったら○○鉄道のＸＸ駅、○○高速道路のＸＸインターチェンジ等までの絞り込みを要求する。
【００３８】
場所の絞込み完了後、季節，天候，事故等その場所の状況のキーワード入力を要求する。また、ここまでを選択方式で簡単に入力できるようにする（ステップＡ２）。
【００３９】
これらのキーワードは、情報提供者により提供された情報の検索キーとして使用される。
【００４０】
情報提供者はデジタルカメラ付き携帯電話１００にて上述のメニューに従いキーワードの入力を行い、最後にコメントを入力する（ステップＡ３）。
【００４１】
次に情報提供者は、デジタルカメラ付き携帯電話１００を使用して記録した自分のまわりの環境の映像・動画、また必要に応じ音声（以降、映像・動画という。）をサーバ１０３へ送信する（ステップＡ４）。
【００４２】
サーバ１０３は受け取った映像・動画情報を先に入力したキーワードに関連付けて整理・分類し、記憶装置１０４に蓄積・保存する。また、このとき受け取った情報にタイムスタンプを付加する（ステップＡ５）。
【００４３】
ここでの問題点は情報提供が広範囲に安定的且つ継続的に行われるかである。この懸念を解消するために、このサービスの立ち上げ当初は情報提供者を募集し契約を結び定型的に情報を提供していただく。また情報提供を広く一般に開放しておき、任意に映像，動画情報をサーバ１０３に送ることができるようにする。これより、このサービスが世間一般に認知され始めると膨大な量の映像，動画情報が集積される事となる。
【００４４】
図３は映像情報を利用する動作を示す流れ図である。
【００４５】
まず、利用者は携帯電話１０１にてｉモード等の通信機能を利用しサーバ１０３にアクセスする。また、パソコン１０２での利用者はＩＳＤＮ等通信機能を利用しサーバ１０３にアクセスする（ステップＢ１）。
【００４６】
サーバ１０３は利用者に対し必要な映像・動画情報を検索するためのキーワード入力を要求する（ステップＢ２）。
【００４７】
利用者は、携帯電話１０１あるいはパソコン１０２にサーバ１０３が表示するメニューに従い、必要なキーワードを選択する（ステップＢ３）。
【００４８】
選択方法は住所から検索、鉄道や高速道路の沿線別に検索、または有名観光地を直接検索するなど多岐にわたる検索方法を掲げておく。
【００４９】
サーバ１０３はその検索情報に基づき、記憶装置１０４より映像・動画情報を取り出し（ステップＢ４）、携帯電話１０１あるいはパソコン１０２へ配信する（ステップＢ５）。
【００５０】
このときサーバ１０３は今まさに蓄積されつつある映像・動画情報の存在を検出したときは、その入力の完了を待って配信できるようにし、限りなくライブに近い映像を取り扱えるようにする。当該入力の完了は定期的（例えば数秒ごと）に監視することなどで検出し、その間、サーバ１０３携帯電話１０１やパソコン１０２に対しては“少々お待ちください”等のメッセージを表示する。
【００５１】
利用者はこの映像・動画情報をもとに旅行における目的地の天候、イベント会場の様子、渋滞情報、事故情報等をタイムリーに利用できる。
【００５２】
図４は映像情報が存在しない場合の動作を示す流れ図である。すなわち、利用者が図３の手順で必要な映像・動画情報を選択したが、選択したキーワードに関連付けられた情報がサーバ１０３の記憶装置１０４になかった場合の動作について説明する。
【００５３】
この場合、サーバ１０３は記憶装置１０４に蓄積保存された映像・動画情報または蓄積されつつある映像・動画情報がない旨を利用者の携帯電話１０１や、パソコン１０２に表示すると共に、「リクエスト」選択ボタンも表示する（ステップＣ１）。
【００５４】
ここに、「リクエスト」とは、映像・動画情報を選択したが該当する情報がサーバ１０３の記憶装置１０４になかった場合に、当該情報が入力されるまで待つことをいう。かかる表示を受けた利用者はそのままアクセスを取りやめても良いが、そのボタンをクリックすることでサーバ１０３に対しリクエストを通知することができる（ステップＣ２）。
【００５５】
利用者がリクエストを通知したとき、サーバ１０３はリクエストに対しリクエスト番号を割り振りその番号を利用者に通知する。利用者は次回この番号を利用することとなる。またこの時、利用者はサーバ１０３に対しメールアドレスを通知すれば、映像・動画情報がサーバ１０３に蓄積された時点で連絡を受けられる（ステップＣ３）。
【００５６】
サーバ１０３は、リクエスト内容に相当する地域、沿線、観光地等に在住の情報提供契約者がいるかどうかを、利用者が情報の検索で選択（図３のステップＢ３）した場所に関するキーワードに基づいて適切な人物をサーバ１０３内に有る情報提供契約者のデータベースより選択する（ステップＣ４）。
【００５７】
なお、情報提供契約者のデータベースとは、サービスの立ち上げ時に定型的に情報を提供していただく情報提供者を募集し契約を結ぶが、その契約を結ぶ際に情報提供者の携帯番号やメールアドレスを登録したものであり、また情報提供できる駅や観光地等のキーワード情報を記憶したものである。
【００５８】
上述の適切な情報提供者の選択は、利用者が情報の検索で選択した場合に関するキーワードと一致するキーワードを持つ情報提供者だけを選択しても良いし、ある程度の範囲を持った曖味な一致でもよい。
【００５９】
後者の場合、たとえば、サーバ１０３の記憶装置内部に地名・駅名を緯度経度に変換するデータベースを備え、観光地や駅等のキーワードについては、緯度経度の近傍比較をする方法も考えられる。この場合は、利用者が駅名「新宿」を選択した場合でも、駅名「代々木」のキーワードで登録された情報提供者も選択されることとなる。また、地名や駅名などを郵便番号に変換して、その一致をもって情報提供者を選択する方法もある。
【００６０】
このデータベースを元に該当情報提供契約者に映像・動画情報が必要な旨をメール等により、上記のリクエスト番号と利用者が選択したキーワードを付加し通知する（ステップＣ５）。
【００６１】
通知を受け取った情報提供者はデジタルカメラ付き携帯電話１００使用し、利用者のキーワードに合致した映像・動画情報を取得して、サーバ１０３へ送信する。この場合、ステップＣ５で受け取った通知に対する返信に添付するなどの方法により送信してもよい（ステップＣ６）。
【００６２】
サーバ１０３は上記の映像・動画情報を、リクエスト番号を元に蓄積保存する（ステップＣ７）。
【００６３】
利用者はリクエスト後一定時間の後、サーバ１０３へ検索に行きリクエスト番号を元にその映像・動画情報の配信を受ける。またリクエスト時にメールアドレスを通知した利用者はサーバ１０３より映像・動画情報が蓄積された時点で連絡を受け取り、その後サーバ１０３へ検索に行き映像・動画情報の配信を受ける（ステップＣ８）。
【００６４】
また、サーバ１０３が情報提供契約者に通知したが一定時間内に応答がない場合，選択した全ての情報提供契約者より情報提供不可の通知を受けた場合，リクエスト内容に相当する地域，沿線，観光地等に在住の情報提供契約者がいない場合は（ステップＣ９）、サーバ１０３はこのサービスのホームページの掲示板に該当の情報提供のリクエスト番号および利用者が選択したキーワードを表示して、必要な映像・動画情報の提供依頼を掲げる（ステップＣ１０）。
【００６５】
一般の情報提供者はこのホームページの掲示板を任意に確認し（ステップＣ１１）、自分のいる場所が利用者のリクエストしている地域，沿線，観光地等だった場合、必要に応じて映像・動画情報を提供する。すなわち、ホームページの掲示板に掲載されたアドレスに映像・動画情報を添付した電子メールを送信する（ステップＣ１２）。
【００６６】
サーバ１０３は該当リクエストに対する映像・動画情報が一般の情報提供者から提供されたか定期的に監視する。提供された場合、リクエスト番号を元に蓄積保存する（ステップＣ７と同じ）。
【００６７】
利用者はリクエスト後一定時間の後、サーバ１０３へ検索に行きリクエスト番号を元にその映像・動画情報の配信を受ける。またリクエスト時にメールアドレスを通知した利用者はサーバ１０３より映像・動画情報が蓄積された時点で連絡を受け取り、その後サーバ１０３へ検索に行き映像・動画情報の配信を受ける（ステップＣ８と同じ）。
【００６８】
上記の映像情報活用システムは情報提供者の多寡にその命運がかかっており、そのために一般情報提供者になにかしらの見返りを与えるようにする。そこで、一般情報提供者から提供され、サーバ１０３の記憶装置１０４に蓄積保存されている映像・動画情報へのアクセス数をカウントし、そのカウント数に応じて一般情報提供者に利益等の還元を行う。
【００６９】
また、デジタルカメラ付き携帯電話を持つ情報提供者が増え全国的に広範囲な場所の映像・動画情報を取り込むことに成功すれば、不特定多数の利用者はタイムリーに特定の場所の映像・動画情報を観ることができる。
【００７０】
なお、本発明による映像情報活用システムには、多様な具体例が想定されるので、以下にそれを例示する。
【００７１】
（例１）利用者がある観光地に紅葉を見に行くが、紅葉の染まり具合はどんな案配か気になる。または現在の天候はどうなっているのか気になる。利用者はこのときｉモード等でサーバにアクセスし映像・動画情報があれば直ちに目的の観光地の紅葉情報を知ることができる。これによりその後の行動の指針が得られる。
【００７２】
（例２）利用者が知りたい映像・動画情報がない。このときリクエストをサーバの掲示板に立てておく。このビジネスモデルが浸透すれば、不特定多数の人がこのサーバにアクセスするので、そのとき掲示板に立てられているリクエストをみてその内容と合致すれば、映像・動画情報を提供するすることができる。
【００７３】
（例３）全国の有名観光地がある地域に住む人、ある鉄道、高速道路沿線を定期的に利用する人、球場、遊園地、ゴルフ場等で働く人、以上の人たちを情報提供者として契約する。そして映像・動画情報を提供していただき、安定した映像・動画情報の供給源とする。
【００７４】
（例４）一般の情報提供者は日々の生活で事故等のイベントに遭遇したとき、（たとえば、交通事故、火事等を発見したとき）、サーバへアクセスし映像・動画情報を提供する。サーバではこのとき情報提供者を記録しておき、提供された映像・動画情報のアクセス数に応じ一定の報酬を支払う。これにより情報提供者の増大がはかられる。
【００７５】
（例５）一般情報提供者はイベント等に遭遇しなくとも、気になったものがあれば、サーバへアクセスし映像・動画情報を提供しておく。（例４）と同様にアクセス数に応じ一定の報酬を支払う。
【００７６】
（例６）情報提供者が映像・動画情報を提供し、サーバに保存蓄積しつつ、不特定多数の利用者はその保存蓄積中の映像・動画情報を見ることができるようにする。これにより、利用者は現在の生の映像が見られライブ映像と変わらなくなる。
【００７７】
【発明の効果】
以上、詳細に説明したように、本発明によれば、利用者が希望する映像情報が記憶装置に存在しない場合に、直ちに情報提供者に通知し該当の映像情報を入手する手段を備えているので、利用者の要求にタイムリーに応えることができる。したがって、映像情報利用者の満足度を向上させ、映像情報の活用を促進させることができる。
【図面の簡単な説明】
【図１】本発明の実施の一形態を示す説明図。
【図２】映像情報を蓄積する動作を示す流れ図。
【図３】映像情報を利用する動作を示す流れ図。
【図４】映像情報が存在しない場合の動作を示す流れ図。
【符号の説明】
１００    デジタルカメラ付き携帯電話
１０１    携帯電話
１０２    パソコン
１０３    映像情報サーバ
１０４    記憶装置
１０５    通信ネットワーク
【図１】
2004328341.tif 000003
【図２】
2004328341.tif 000004
【図３】
2004328341.tif 000005
【図４】
2004328341.tif 000006